(57)【要約】      （修正有）【課題】スプリングクリップや洗濯バサミとクランプで固定した小物入れ器を提供する。【解決手段】スプリングクリップや洗濯バサミの幅広の１〜数個の先端２の両サイドに穴を開けて、クランプ１９を付けておいて締めることにより、外れることがなくなり、ずり落ちるという欠点の解消になり、取手の部分に荷重を掛けても可能になる。更に、二個の取手の下の取手の部分の長さを長くして、縦形にして、中央付近や中央付近の上部に穴を開けておき、ボルト９、ワッシャー、ナット、止めピンや止め輪で回転軸をつくり、箱１３の裏面に穴を開けて、ボルトに入れたワッシャーとの間に入れて取り付けておくことにより、薬瓶、ペットボトルやスマートホン入れの箱をどんな角度でも水平に保つことができるので、高齢者や身体障碍者だけでなく一般の人々にとっても便利な器具であり、使いやすい。【選択図】図１
0003217622.tif 000002
【実用新案登録請求の範囲】
【請求項１】
スプリングクリップや洗濯バサミの１〜数個の幅広の挟む先端の両サイドにクランプを付けておくことにより、取手の部分に荷重を加えても外れなくなり、二個の取手の下の部分を上の部分より長さを長くして、縦形にしておき、その縦形の中央付近や中央付近の上部に穴を開けて、その穴へボルト、ワッシャー、ナット、止めピンや止め輪で回転軸をつくり、箱の裏面の中央付近の上部に穴を開けて、ボルトに入れたワッシャーとの間に入れて取り付けておくことにより、横、縦、斜めに取り付けても、箱の水平を保ち、重たいものを箱の中へ入れておいても外れることがなくなることと、簡単にセットができて外れないことを特徴とする、スプリングクリップや洗濯バサミとクランプで固定した小物入れ器。
【請求項２】
スプリングクリップや洗濯バサミの１〜数個の幅広の挟む先端の両サイドにクランプを付けておくことにより、取手の部分に荷重を加えても外れなくなり、二個の取手の下の部分を上の部分より長さを長くして、縦形にしておき、その縦形の中央付近や中央付近の上部に穴を開けて、その穴へボルト、ワッシャー、ナット、止めピンや止め輪で回転軸をつくり、箱の裏面の中央付近の上部に穴を開けて、ボルトに入れたワッシャーとの間に入れて取り付けておくことにより、横、縦、斜めに取り付けても、箱の水平を保ち、重たいものを箱の中へ入れておいても外れることがなくなることと、箱の側面の上辺を波形の形や穴をあけておくことにより、いろいろな袋を波形の形にかけたり、穴にフックを掛けることができるようにしたことを特徴とする、スプリングクリップや洗濯バサミとクランプで固定した小物入れ器。
【考案の詳細な説明】
【技術分野】
【０００１】  バネで止めるスプリングクリップや洗濯バサミの先端をクランプで固定して、取りはずれをしないことと、スプリングクリップや洗濯バサミの取手の部分に小物入れ器をつけたことに関する事である。
【背景技術】
【０００２】  クランプとスプリングクラップや洗濯バサミは使う用途、役割が違うので現在、一緒のものは存在しない。また、横、縦、斜めの天板、支柱や脚にワンタッチで掛けてクランプを付けて、固定して、薬瓶、ペットボトルや筆記用具を入れた容器を水平にする器具は存在しない。
【先行技術】
【０００３】  １、粘着テープ、磁石や釘、ビスでとめて、ヒモやフック式の袋や箱の中へ薬、サプリ      メントや筆記用具などの小物を入れることができる装置。
【考案の概要】
【０００４】  スプリングクリップや洗濯バサミの取手のところに重いものをぶら下げる、重いものを入れた袋をかけると外れるので、スプリングクリップや洗濯バサミの幅広の先端を１〜数個にして、挟むところの先端部分の両サイドにＣ型クランプをつけておくことにより、クランプを締めると、外れないようになる。取手の部分にいろいろなものをのせたり、かけたりできるようにするために、二個の取手の上下にある下の取手の部分の長さを長くして、縦形にして、中央付近や中央付近の上部に穴を開けて、その穴へボルト、ナット、ワッシャー、止めピンや止め輪を取り付けて回転軸にして、箱の裏面に穴を開けて、ボルトに入れたワッシャーとの間に入れて取り付けておくことにより、水平、縦、斜めの天板や支柱、脚などに取り付けても、箱を水平に保ち、いろいろなものを入れることができる。更に、箱の上部を波型やその下に穴をあけておくことにより、いろいろな袋やフックを掛けることができる。食事の時の食卓や勉強の時の机に、座っている手元近くに取りつけることができて、筆記用具や薬瓶、サプリメントの瓶やペットボトルをいつでも使用でき、飲むことができることを特徴とする、スプリングクリップや洗濯バサミとクランプで固定した小物入れ器。
【考案が解決しようとする課題】
【０００５】  スプリングクランプや洗濯バサミはいろいろな厚みの天板にワンタッチで挿むことができる利点があるが取手の部分に上下から力を加えると外れる欠点がある。この欠点を解消出来れば素晴らしい器具となる、更に、いろいろな厚みの机、食卓の天板、カウンターや斜めの脚、机の脚などのあらゆる角度にワンタッチで取り付けることができて、ペットボトルや薬瓶、サプリメントの瓶、筆記用具やスマートホンなどを入れる箱を水平に保つことができて、ペットボトルや薬瓶を入れる箱や袋が手元の近くにあれば高齢者や身体障碍者だけでなく一般の人々にとっても大変に助かる。
【考案が解決するための手段】
【０００６】  先端が１〜数個の幅広のスプリングクリップや洗濯バサミであり、モノを挟む部分の先端の両サイドの部分には一個ずつＣ型クランプを付けておく。天板やカウンターに当たる部分はシリコン、ゴム、布などの当て材を付けておく。クランプの形はＣ字状であり、グリップを巻くことにより、ネジで巻き込み、持ち上げる形である。材質はプラスチックや鉄、スチール、ステンレス、合成樹脂製などで造り、クランプのつける場所はスプリングクランプや洗濯バサミのものを挟む部分の先端の両サイドの位置にする。締め方はグリップを下より巻き上げて締める。更に、二個の取手の上下の下の部分の長さを長くして、縦形にして、中央付近や中央付近の上部に穴を開けておき、その穴へボルト、ナット、ワッシャー、止めピンや止め輪で回転軸をつくり、薬瓶やペットボトルなどを入れる箱の裏面に穴を開けて、ボルトに入れたワッシャーとの間に入れて取り付けておくことにより、横、縦、斜めに取り付けてもペットボトル、薬瓶、サプリメントの瓶、筆記用具などを入れておく箱が水平に使用できる。更に小さな買い物袋、小さいカバンなどを波型の箱の上部にかけておくことができることを特徴とする、スプリングクリップや洗濯バサミとクランプで固定した小物入れ器。
【考案の効果】
【０００７】  年を取り、体が弱るとたくさんの薬を飲まなくてはならない。その時に水と薬や筆記用具やメモ帖などが手元の近くにあり、同じところにあれば、いちいち捜しに行き、取りに行ったりする面倒な行動がなくなり、更に、薬の飲み忘れがなくなる。机や食卓、カウンターの天板や脚に本考案をかけておくことにより、高齢者、病人や身体障碍者だけでなく、一般の人々が快適生活を送ることに寄与する。
【図面の簡単な説明】
【０００８】
【図１】正面図  （１）左  （２）右
【図２】側面図  （１）前  （２）後
【図３】（１）上からの図、（２）下からの図
【図４】ペットボトルや薬瓶を入れる小物入れの箱を取手にぶら下げた図  （１）食卓の天板に取り付けた図  （２）縦の脚に取り付けた図  （３）斜めの脚に取り付けた図
【図５】ボルト、ワッシャー、ナット、止めピンや止め輪による回転具  （１）斜め図  （２）上からの図  （３）下からの図
【図６】箱の上辺を波形や穴を開けた箱の図  （１）正面図  （２）側面図  （３）上からの図  （４）斜め図
【符号の説明】
【０００９】▲１▼  スプリングクラップや洗濯バサミの取手の部分
▲２▼  スプリングクラップや洗濯バサミの挟む先端部分
▲３▼  バネ
▲４▼  穴
▲５▼  机、食卓の天板
▲６▼  ぶら下げた袋
▲７▼  薬瓶、ペットボトル
▲８▼  回転軸の穴
▲９▼  ボルト
▲１０▼  ナット
▲１１▼  ワッシャー
▲１２▼  止めピンや止め輪
▲１３▼  薬瓶やペットボトルを入れる箱
▲１４▼  引っかけのための波型模様
▲１５▼  斜めの机の脚
▲１６▼  机の脚
▲１７▼  クランプのグリップ部分
▲１８▼  シリコン、布などの当て材
▲１９▼  クランプ
▲２０▼  クランプのネジの部分
【考案を実施するための形態】
【００１０】  次の順序で実施する。
１、取手を絞って、バネ式のスプリングクラップや洗濯バサミの先端を開ける。
２、机、食卓の天板、カウンターの天板や机や食卓の脚にスプリングクランプや洗濯バ      サミの先端を止める。
３、両サイドのクランプを天板、カウンターや脚に締めて、固定する。
４、取手に付けた箱の中へペットボトル、薬瓶、サプリメントの瓶や筆記用具、スマー      トホンなどを入れて、使用する。
５、箱の側面の上部につけた波型の模様に袋などやフック式の袋やものをかけて、使用      する。
６、使わない時はクランプをはずして、スプリングクランプや洗濯バサミの先端をはず      して保管しておく。
【産業上の利用可能性】
【００１１】  本考案はいろいろな厚みの机、食卓、カウンターの天板、縦の窓枠や柱、机や食卓の縦の脚や斜めの脚などのあらゆる角度に取り付けることが可能であり、クランプの効用でずり落ちる欠点がなくなり、取手の部分に穴を開けて、ボルト、ナット、ワッシャー、止めピンや止め輪で回転軸をつくり、箱の裏面に穴を開けて、ボルトに入れたワッシャーとの間に入れて取り付けておくことにより、縦、斜めに取り付けても、箱を水平に保つことができる。高齢化の時代、足が悪くなって動きが鈍くなるなどいろいろと動きづらい問題が生じる。そこで毎日に使用する薬瓶やペットボトル、スマートホンや筆記用具などを入れた箱を、手元に近い、机、食卓の天板やカウンター、窓枠や脚に取り付けることができて、すぐに使用することができるので、ストレスない快適な毎日の生活を送ることに貢献する。
【図１】
0003217622.tif 000003
【図２】
0003217622.tif 000004
【図３】
0003217622.tif 000005
【図４】
0003217622.tif 000006
【図５】
0003217622.tif 000007
【図６】
0003217622.tif 000008